(57)【要約】【課題】水栓用ハンドルを合理的な構成により仕上がり良く成形すること。【解決手段】水栓本体２に軸回転可能なように取り付けられるハンドル部１０Ａと、ハンドル部１０Ａから径方向に張出し状に延びるレバー部１０Ｂとを有するレバーハンドル１０である。レバーハンドル１０は、ハンドル部１０Ａ及びレバー部１０Ｂの外観形状を成す表層部材１１と、表層部材１１と積層状に一体成形される積層部材１２とを有する。表層部材１１が、ハンドル部１０Ａの外観形状を成すハンドル表層部１１Ａと、レバー部１０Ｂの外観形状を成すレバー表層部１１Ｂとを有する。積層部材１２が、ハンドル表層部１１Ａと積層状に一体成形されるハンドル積層部１２Ａと、レバー表層部１１Ｂと積層状に一体成形されるレバー積層部１２Ｂと、ハンドル積層部１２Ａとレバー積層部１２Ｂとをシームレスに繋ぐ繋ぎ積層部１２Ｃとを有する。【選択図】図５
2020051128.tif 000002
【特許請求の範囲】
【請求項１】
水栓本体に軸回転可能なように取り付けられるハンドル部と、該ハンドル部から径方向に張出し状に延びるレバー部と、を有する水栓用ハンドルであって、
前記ハンドル部及び前記レバー部の外観形状を成す表層部材と、
該表層部材と積層状に一体成形される積層部材と、を有し、
前記表層部材が、前記ハンドル部の外観形状を成すハンドル表層部と、前記レバー部の外観形状を成すレバー表層部と、を有し、
前記積層部材が、前記ハンドル表層部と積層状に一体成形されるハンドル積層部と、前記レバー表層部と積層状に一体成形されるレバー積層部と、前記ハンドル積層部と前記レバー積層部とをシームレスに繋ぐ繋ぎ積層部と、を有する水栓用ハンドル。
【請求項２】
請求項１に記載の水栓用ハンドルであって、
前記積層部材が、前記表層部材よりも剛性及び／又は強度の高い材料から成る水栓用ハンドル。
【請求項３】
請求項１又は請求項２に記載の水栓用ハンドルにおいて、
前記レバー積層部が、前記レバー表層部内に埋設されるようにインサート成形される水栓用ハンドル。
【請求項４】
請求項１から請求項３のいずれかに記載の水栓用ハンドルであって、
前記レバー表層部と前記レバー積層部とが、互いに平板積層状に一体成形される水栓用ハンドル。
【請求項５】
請求項１から請求項４のいずれかに記載の水栓用ハンドルであって、
更に、前記積層部材が、前記レバー積層部と前記ハンドル積層部との繋ぎの角部に肉盛り状のリブを有する水栓用ハンドル。
【請求項６】
請求項１から請求項５のいずれかに記載の水栓用ハンドルであって、
前記ハンドル積層部が、前記ハンドル表層部の裏側に積層されて前記ハンドル部の前記水栓本体に取り付けられる内周側の取付面を成す水栓用ハンドル。
【請求項７】
請求項１から請求項６のいずれかに記載の水栓用ハンドルであって、
当該水栓用ハンドルが、前記水栓本体に対して、取付方向に延びる中心軸線回りの回転による温調操作と、前記中心軸線とは交差する交差軸線回りの起倒回転による吐止水の切り換え操作と、が可能なように取り付けられるシングルレバーハンドルとされる水栓用ハンドル。
【発明の詳細な説明】
【技術分野】
【０００１】
本発明は、水栓用ハンドルに関する。詳しくは、水栓本体に軸回転可能なように取り付けられるハンドル部を有する水栓用ハンドルに関する。
【背景技術】
【０００２】
従来、水栓用ハンドルにおいて、ハンドル部の樹脂成形に伴う引け（成形収縮）の発生を抑えるために、ハンドル部を内外２部品に分けて構成したものが知られている（特許文献１）。すなわち、ハンドル部の厚肉な部分を２部品に分けて構成することで、個々の肉厚を薄くすることができ、引けの発生を抑えることができる。
【先行技術文献】
【特許文献】
【０００３】
【特許文献１】特許第３６０２３５８号
【発明の概要】
【発明が解決しようとする課題】
【０００４】
上記従来技術では、ハンドル部の部品点数が増大すると共に、２部品をトルク伝達が適切に行えるように組合わせるための構造が複雑となる。本発明は、上記問題を解決するものとして創案されたものであって、本発明が解決しようとする課題は、水栓用ハンドルを合理的な構成により仕上がり良く成形することにある。
【課題を解決するための手段】
【０００５】
上記課題を解決するために、本発明の水栓用ハンドルは次の手段をとる。
【０００６】
すなわち、本発明の水栓用ハンドルは、水栓本体に軸回転可能なように取り付けられるハンドル部と、ハンドル部から径方向に張出し状に延びるレバー部と、を有する水栓用ハンドルである。水栓用ハンドルは、ハンドル部及びレバー部の外観形状を成す表層部材と、表層部材と積層状に一体成形される積層部材と、を有する。表層部材が、ハンドル部の外観形状を成すハンドル表層部と、レバー部の外観形状を成すレバー表層部と、を有する。積層部材が、ハンドル表層部と積層状に一体成形されるハンドル積層部と、レバー表層部と積層状に一体成形されるレバー積層部と、ハンドル積層部とレバー積層部とをシームレスに繋ぐ繋ぎ積層部と、を有する。
【０００７】
上記構成によれば、ハンドル部及びレバー部を表層部材と積層部材とから成る多層構造とすることで、個々の層の肉厚を薄くして、成形収縮に伴う引けの発生を抑えることができる。なおかつ、上記多層構造を一体成形により形成することで、各層を合理的に強固に一体化することができる。また、積層部材がハンドル積層部とレバー積層部とをシームレスに繋ぐ繋ぎ積層部を有することで、表層部材に部分的な厚肉部が形成されにくくなる。それにより、水栓用ハンドルを仕上がり良く成形することができる。
【０００８】
また、本発明の水栓用ハンドルは、更に次のように構成されていてもよい。積層部材が、表層部材よりも剛性及び／又は強度の高い材料から成る。
【０００９】
上記構成によれば、ハンドル部から張出し状に延びるレバー部を備えた水栓用ハンドルの剛性及び／又は強度を合理的に高めることができる。また、表層部材を積層部材と一体成形する際に、積層部材を成形材料の射出圧力に対して撓ませにくくすることができる。それにより、水栓用ハンドルをより仕上がり良く成形することができる。
【００１０】
また、本発明の水栓用ハンドルは、更に次のように構成されていてもよい。レバー積層部が、レバー表層部内に埋設されるようにインサート成形される。
【００１１】
上記構成によれば、レバー部をより見栄え良く仕上げることができる。また、レバー表層部とレバー積層部との接合強度をより高めることができる。
【００１２】
また、本発明の水栓用ハンドルは、更に次のように構成されていてもよい。レバー表層部とレバー積層部とが、互いに平板積層状に一体成形される。
【００１３】
上記構成によれば、レバー表層部の天板形状を、平板状に見栄え良く仕上げることができる。
【００１４】
また、本発明の水栓用ハンドルは、更に次のように構成されていてもよい。更に、積層部材が、レバー積層部とハンドル積層部との繋ぎの角部に肉盛り状のリブを有する。
【００１５】
上記構成によれば、ハンドル部から張出し状に延びるレバー部の曲げ剛性を適切に高めることができる。また、表層部材を積層部材と一体成形する際に、積層部材を成形材料の射出圧力に対して撓ませにくくすることができる。それにより、水栓用ハンドルをより仕上がり良く成形することができる。
【００１６】
また、本発明の水栓用ハンドルは、更に次のように構成されていてもよい。ハンドル積層部が、ハンドル表層部の裏側に積層されてハンドル部の水栓本体に取り付けられる内周側の取付面を成す。
【００１７】
上記構成によれば、ハンドル積層部のハンドル表層部とは別個に成形される構成を利用して、水栓本体に取り付けられる取付面の成形自由度を高めることができる。
【００１８】
また、本発明の水栓用ハンドルは、更に次のように構成されていてもよい。水栓用ハンドルが、水栓本体に対して、取付方向に延びる中心軸線回りの回転による温調操作と、上記中心軸線とは交差する交差軸線回りの起倒回転による吐止水の切り換え操作と、が可能なように取り付けられるシングルレバーハンドルとされる。
【００１９】
上記構成によれば、シングルレバーハンドルのようにレバー部が長尺状に延び、かつ、広い天板面を有する構成に対して、特に効果的にレバー部を仕上がり良く成形することができる。
【図面の簡単な説明】
【００２０】
【図１】第１の実施形態の水栓用ハンドルの概略構成を表した斜視図である。
【図２】水栓用ハンドルを水栓本体から外した分解斜視図である。
【図３】図２を左側から見た分解斜視図である。
【図４】図１の側面図である。
【図５】図４のＶ−Ｖ線断面図である。
【図６】図４のＶＩ−ＶＩ線断面図である。
【図７】水栓用ハンドルを一体成形する工程を表した要部断面図である。
【発明を実施するための形態】
【００２１】
以下に、本発明を実施するための形態について、図面を用いて説明する。
【００２２】
《第１の実施形態》
始めに、本発明の第１の実施形態に係る水栓用ハンドル（レバーハンドル１０）が適用された混合水栓１の構成について、図１〜図７を用いて説明する。なお、以下の説明において、前後上下左右等の各方向を示す場合には、各図中に示されたそれぞれの方向を指すものとする。
【００２３】
図１に示すように、本実施形態に係る混合水栓１は、シンクの天板Ｔ上に設置される、いわゆる台付きタイプの水栓金具として構成されている。上記混合水栓１は、天板Ｔの下側から供給される湯と水とを内部で混合して吐出することのできる機能を備える。具体的には、混合水栓１は、上記供給される湯水の混合割合を調節する温調機能と、混合した湯水の吐水・止水を切り替える切替機能と、吐出する湯水の吐出量を調節する吐出量の調節機能と、を備える。
【００２４】
上記温調機能と吐止水の切替機能と吐出量の調節機能とは、それぞれ、水栓本体２の向かって右側の側部に取り付けられた１本のレバーハンドル１０によって操作されるようになっている。同レバーハンドル１０は、図２〜図３に示すように、水栓本体２に装着されたカートリッジ４から右側へ延びるレバー軸４Ａに右側から差し込まれて一体に取り付けられている。上記レバー軸４Ａは、カートリッジ４に対して、その中心軸線Ａ１の回りに回転できるように連結されている。それにより、上記レバー軸４Ａに取り付けられるレバーハンドル１０も、図１に示すように、水栓本体２に対して、上記レバー軸４Ａの中心軸線Ａ１の回りに回転操作が行える状態に連結されている。
【００２５】
上記レバー軸４Ａは、カートリッジ４に対して、更に上記中心軸線Ａ１とは直交する交差軸線Ａ２の回りにも回転可能なように連結されている。それにより、レバーハンドル１０も、上記水栓本体２に対して、交差軸線Ａ２の回りにも回転操作が行える状態に連結されている。
【００２６】
上記混合水栓１は、使用者がレバーハンドル１０を上記中心軸線Ａ１の回りの所望の回転位置に合わせることにより、水栓本体２内のカートリッジ４が操作されて、水栓本体２の内部で混合される湯水の混合割合が回転位置に応じた設定温度となるように調節されるようになっている。また、上記混合水栓１は、使用者がレバーハンドル１０を図示された所定の止水位置Ｐ１から交差軸線Ａ２の回りに右側へと倒す形に回転させることにより、その回転移動量に応じた量の湯水を、水栓本体２から上向きに延びる逆Ｊ字形状の吐出管３の吐出口３Ａから吐出するようになっている。
【００２７】
具体的には、上記混合水栓１は、レバーハンドル１０が図１の実線で示す止水位置Ｐ１、すなわちレバー部１０Ｂが鉛直上向きとなる回転位置から、中心軸線Ａ１の回りに後側（図示奥側）へ回されることにより、その回転移動量に応じて、水栓本体２の内部で混合される湯の混合割合が漸次増大していくように調節される。一方、上記レバーハンドル１０の図１の実線で示す止水位置Ｐ１から中心軸線Ａ１の回りに前側（図示手前側）へ回される回転領域は、その回転位置によらず、水のみが吐出される領域となっている。
【００２８】
上記レバーハンドル１０の中心軸線Ａ１の回りの回転移動は、カートリッジ４に設けられた不図示の回転規制構造により、図１の仮想線で示す湯側調節位置Ｐ３と水側調節位置Ｐ４との間の可動範囲内に規制されるようになっている。そして、上記レバーハンドル１０が所望の回転位置に合わされたところから右側へ倒される形に回されることにより、上記回転位置に応じて調節された所定温度の湯水が吐出口３Ａから吐出される。上記レバーハンドル１０の交差軸線Ａ２の回りの回転移動は、カートリッジ４に設けられた不図示の回転規制構造により、図１の実線で示す止水位置Ｐ１と仮想線で示す吐水位置Ｐ２との間の可動範囲内に規制されるようになっている。
【００２９】
上記レバーハンドル１０は、図２〜図３に示すように、上記カートリッジ４のレバー軸４Ａに横から差し込まれて取り付けられる略有天円筒形状のハンドル部１０Ａと、ハンドル部１０Ａから径方向に張出し状に延びる略平板形状のレバー部１０Ｂと、を有する形状とされている。上記レバー部１０Ｂは、図４に示すように、ハンドル部１０Ａの直径と略同一の板幅でハンドル部１０Ａの天板面１０Ａａと面一状の形となって径方向に張り出す形状とされている。詳しくは、上記レバー部１０Ｂは、図５に示すように、ハンドル部１０Ａからハンドル部１０Ａの直径よりも長く径方向に張出し状に延びる形状とされている。上記レバー部１０Ｂの天板面１０Ｂａと、ハンドル部１０Ａの天板面１０Ａａとは、互いに連続した面一状の平坦面を成す形に形成されている。
【００３０】
上記レバーハンドル１０は、図５〜図６に示すように、ＡＢＳ樹脂製の表層部材１１と、同表層部材１１よりも比強度の高いガラス繊維強化ナイロン樹脂（ガラス繊維４５％強化）製の積層部材１２と、が互いに積層状に一体成形された多層構造により形成されている。具体的には、表層部材１１は、図７に示すように、積層部材１２の成形後に、同積層部材１２を成形型内にセットして、同積層部材１２の周囲に成形材料が積層状に充填される形に射出成形されて形成されている。上記成形により、表層部材１１は、積層部材１２の周囲に広く一体的に接着された形となって形成されている。
【００３１】
上記表層部材１１は、図５に示すように、ハンドル部１０Ａの外観形状を成す略有天円筒形状のハンドル表層部１１Ａと、レバー部１０Ｂの外観形状を成す略平板形状のレバー表層部１１Ｂと、をシームレスに一体的に有する形に形成されている。また、積層部材１２は、上記ハンドル表層部１１Ａと積層状に一体成形される略有天円筒形状のハンドル積層部１２Ａと、上記レバー表層部１１Ｂと積層状に一体成形される略平板形状のレバー積層部１２Ｂと、上記ハンドル積層部１２Ａとレバー積層部１２Ｂとをシームレスに繋ぐ繋ぎ積層部１２Ｃと、を一体的に有する形に形成されている。
【００３２】
上記積層部材１２のハンドル積層部１２Ａは、ハンドル表層部１１Ａの裏側に積層されて、上記ハンドル部１０Ａのレバー軸４Ａに差し込まれて取り付けられる内周側の凹形状の取付面１０Ａｂを成す構成とされている。すなわち、ハンドル部１０Ａは、その略有天円筒形状の外筒部分を表層部材１１のハンドル表層部１１Ａが成し、内筒部分を積層部材１２のハンドル積層部１２Ａが成す、内外２重の積層構造に形成されている。上記構成により、ＡＢＳ樹脂から成る表層部材１１のハンドル表層部１１Ａによって、ハンドル部１０Ａが見栄えの良い外観形状に形成されている。
【００３３】
なおかつ、ハンドル部１０Ａは、そのガラス繊維強化ナイロン樹脂から成る比強度の高い積層部材１２のハンドル積層部１２Ａによって、レバー軸４Ａに対する高い取り付け強度を備えた構成とされている。更に、上記ハンドル部１０Ａは、その外周面と内周面（取付面１０Ａｂ）との間の大きな肉厚部分が、上記ハンドル表層部１１Ａとハンドル積層部１２Ａとから成る多層構造から成ることにより、個々の層の肉厚が薄くされて、射出成形後の成形収縮に伴う引けが発生しにくい構成とされている。
【００３４】
詳しくは、上記ハンドル部１０Ａを構成するハンドル表層部１１Ａ及びハンドル積層部１２Ａは、それぞれ、ハンドル部１０Ａの周壁部や天板部等の一般面部を成す部分の肉厚が互いに略同一かつ略均一となる形に形成されている。上記構成により、ハンドル部１０Ａを構成するハンドル表層部１１Ａ及びハンドル積層部１２Ａは、それぞれ、部分的に厚肉化されて引けの発生しやすい構成とされることなく、全体が引けの発生しにくい構成とされている。
【００３５】
上記ハンドル積層部１２Ａには、更に、その内周側の取付面１０Ａｂにレバー軸４Ａが差し込まれた後、ハンドル部１０Ａをレバー軸４Ａに固定するために、ハンドル部１０Ａの外側（図示下側）から締結用のビスＢが螺着される雌ねじの付いた丸孔形状の締結面１０Ａｃが形成されている。上記のように締結面１０Ａｃがガラス繊維強化ナイロン樹脂から成る比強度の高い積層部材１２のハンドル積層部１２Ａに形成されていることで、ハンドル部１０Ａがレバー軸４Ａに対して高い取り付け強度で固定されるようになっている。
【００３６】
上記積層部材１２のレバー積層部１２Ｂは、図５〜図６に示すように、その全周がレバー表層部１１Ｂによって被覆されるようにレバー表層部１１Ｂ内に埋め込まれた形に積層されている。上記構成により、ＡＢＳ樹脂から成る表層部材１１のレバー表層部１１Ｂによって、レバー部１０Ｂが全周面に亘って見栄えの良い外観形状に形成されている。なおかつ、レバー部１０Ｂは、そのガラス繊維強化ナイロン樹脂から成る比強度の高い積層部材１２のレバー積層部１２Ｂによって、強度及び剛性が高められた構成とされている。更に、上記レバー部１０Ｂは、その略平板形状の肉厚部分が、表裏２層のレバー表層部１１Ｂの間にレバー積層部１２Ｂが介在する多層構造から成ることにより、個々の層の肉厚が薄くされて、射出成形後の成形収縮に伴う引けが発生しにくい構成とされている。
【００３７】
詳しくは、上記レバー積層部１２Ｂは、肉厚が略均一の略平板形状に形成されている。上記レバー積層部１２Ｂの略平板形状に延びる周囲面は、裏側に向かってＲの付いた湾曲面形状に丸められている。そして、上記レバー積層部１２Ｂの全周に被覆される形に積層されるレバー表層部１１Ｂは、その構成層の肉厚が、レバー積層部１２Ｂの肉厚（板厚）と略同一かつ略均一となる形に形成されている。上記構成により、レバー部１０Ｂを構成するレバー表層部１１Ｂ及びレバー積層部１２Ｂは、それぞれ、部分的に厚肉化されて引けの発生しやすい構成とされることなく、全体が引けの発生しにくい構成とされている。
【００３８】
上記レバー積層部１２Ｂの天板面と、ハンドル積層部１２Ａの天板面とは、互いに連続した面一状の平坦面を成す形に形成されている。そして、上記レバー積層部１２Ｂとハンドル積層部１２Ａとの繋ぎの内角部には、同角部を面取り状に肉盛りする形に張り出すリブ１２Ｄが形成されている。上記リブ１２Ｄは、図４に示すように、レバー積層部１２Ｂの板幅方向に２つ、横並び状に隣り合う形に形成されている。上記リブ１２Ｄにより、図５に示すように、ハンドル積層部１２Ａから張出し状に延びるレバー積層部１２Ｂの曲げ剛性や強度が適切に高められる。それにより、レバー部１０Ｂに板厚方向に曲げられるような力が掛けられて使用されるレバーハンドル１０の使用荷重に対する構造強度を適切に高めることができる。
【００３９】
また、図７に示すように、表層部材１１を積層部材１２と一体成形する際に、成形型内にセットした積層部材１２のレバー積層部１２Ｂが、その平板形状の表裏面上を流れる各成形材料の流れ速度（射出圧力）の違いによって板厚方向に反られるような曲げの負荷（図示黒塗りの矢印参照）を受けても、上記リブ１２Ｄによる補強によって板厚方向に大きく曲げ撓まされないようになっている。それにより、レバー部１０Ｂとハンドル部１０Ａの両天板面１０Ｂａ，１０Ａａが互いに連続した面一状の広い平坦面を持つ形とされたレバーハンドル１０を、引けや変形等の成形不具合を生じさせることなく、仕上がり良く成形することができる。
【００４０】
なお、本実施形態のように積層部材１２が表層部材１１によって外部から見えない形に被覆される構成の場合には、積層部材１２に多少の引けが生じても、表層部材１１によってその引けの厚みを吸収して、レバーハンドル１０を仕上がり良く成形することができる。したがって、積層部材１２の厚みを表層部材１１よりも厚くして、レバーハンドル１０の構造強度を効果的に高めるような構成を簡便に得ることができる。
【００４１】
以上をまとめると、第１の実施形態に係るレバーハンドル１０は次のような構成となっている。すなわち、水栓本体（２）に軸回転可能なように取り付けられるハンドル部（１０Ａ）と、ハンドル部（１０Ａ）から径方向に張出し状に延びるレバー部（１０Ｂ）と、を有する水栓用ハンドル（１０）である。水栓用ハンドル（１０）は、ハンドル部（１０Ａ）及びレバー部（１０Ｂ）の外観形状を成す表層部材（１１）と、表層部材（１１）と積層状に一体成形される積層部材（１２）と、を有する。
【００４２】
表層部材（１１）が、ハンドル部（１０Ａ）の外観形状を成すハンドル表層部（１１Ａ）と、レバー部（１０Ｂ）の外観形状を成すレバー表層部（１１Ｂ）と、を有する。積層部材（１２）が、ハンドル表層部（１１Ａ）と積層状に一体成形されるハンドル積層部（１２Ａ）と、レバー表層部（１１Ｂ）と積層状に一体成形されるレバー積層部（１２Ｂ）と、ハンドル積層部（１２Ａ）とレバー積層部（１２Ｂ）とをシームレスに繋ぐ繋ぎ積層部（１２Ｃ）と、を有する。
【００４３】
上記構成によれば、ハンドル部（１０Ａ）及びレバー部（１０Ｂ）を表層部材（１１）と積層部材（１２）とから成る多層構造とすることで、個々の層の肉厚を薄くして、成形収縮に伴う引けの発生を抑えることができる。なおかつ、上記多層構造を一体成形により形成することで、各層を合理的に強固に一体化することができる。また、積層部材（１２）がハンドル積層部（１２Ａ）とレバー積層部（１２Ｂ）とをシームレスに繋ぐ繋ぎ積層部（１２Ｃ）を有することで、表層部材（１１）に部分的な厚肉部が形成されにくくなる。それにより、水栓用ハンドル（１０）を仕上がり良く成形することができる。
【００４４】
また、積層部材（１２）が、表層部材（１１）よりも剛性及び／又は強度の高い材料から成る。上記構成によれば、ハンドル部（１０Ａ）から張出し状に延びるレバー部（１０Ｂ）を備えた水栓用ハンドル（１０）の剛性及び／又は強度を合理的に高めることができる。また、表層部材（１１）を積層部材（１２）と一体成形する際に、積層部材（１２）を成形材料の射出圧力に対して撓ませにくくすることができる。それにより、水栓用ハンドル（１０）をより仕上がり良く成形することができる。
【００４５】
また、レバー積層部（１２Ｂ）が、レバー表層部（１１Ｂ）内に埋設されるようにインサート成形される。上記構成によれば、レバー部（１０Ｂ）をより見栄え良く仕上げることができる。また、レバー表層部（１１Ｂ）とレバー積層部（１２Ｂ）との接合強度をより高めることができる。
【００４６】
また、レバー表層部（１１Ｂ）とレバー積層部（１２Ｂ）とが、互いに平板積層状に一体成形される。上記構成によれば、レバー表層部（１１Ｂ）の天板形状を、平板状に見栄え良く仕上げることができる。
【００４７】
また、更に、積層部材（１２）が、レバー積層部（１２Ｂ）とハンドル積層部（１２Ａ）との繋ぎの角部に肉盛り状のリブ（１２Ｄ）を有する。上記構成によれば、ハンドル部（１０Ａ）から張出し状に延びるレバー部（１０Ｂ）の曲げ剛性を適切に高めることができる。また、表層部材（１１）を積層部材（１２）と一体成形する際に、積層部材（１２）を成形材料の射出圧力に対して撓ませにくくすることができる。それにより、水栓用ハンドル（１０）をより仕上がり良く成形することができる。
【００４８】
また、ハンドル積層部（１２Ａ）が、ハンドル表層部（１１Ａ）の裏側に積層されてハンドル部（１０Ａ）の水栓本体（２）に取り付けられる内周側の取付面（１０Ａｂ）を成す。上記構成によれば、ハンドル積層部（１２Ａ）のハンドル表層部（１１Ａ）とは別個に成形される構成を利用して、水栓本体（２）に取り付けられる取付面（１０Ａｂ）の成形自由度を高めることができる。
【００４９】
また、水栓用ハンドル（１０）が、水栓本体（２）に対して、取付方向に延びる中心軸線（Ａ１）回りの回転による温調操作と、上記中心軸線（Ａ１）とは交差する交差軸線（Ａ２）回りの起倒回転による吐止水の切り換え操作と、が可能なように取り付けられるシングルレバーハンドルとされる。上記構成によれば、シングルレバーハンドルのようにレバー部（１０Ｂ）が長尺状に延び、かつ、広い天板面（１０Ａａ，１０Ｂａ）を有する構成に対して、特に効果的にレバー部（１０Ｂ）を仕上がり良く成形することができる。
【００５０】
《その他の実施形態について》
以上、本発明の実施形態を１つの実施形態を用いて説明したが、本発明は上記実施形態のほか、以下に示す様々な形態で実施することができるものである。
【００５１】
１．本発明の水栓用ハンドルは、上記実施形態で示したようなシングルレバーハンドルの他、様々なタイプの水栓用ハンドルとして適用することができるものである。具体的には、水栓用ハンドルは、特開２０１７−４８６４４号公報等の文献に開示されるように、ハンドル部が水栓本体に対して鉛直方向に延びる軸回りに回転可能となるように取り付けられるタイプのシングルレバーハンドルとして適用されても良い。また、水栓用ハンドルは、特開２０１５−０１０６３６号公報等の文献に開示されるように、ハンドル部が水栓本体の右側部又は左側部に対して水平方向に延びる軸回りに回転可能となるように取り付けられるタイプのハンドル（温調ハンドル又は吐止水の切替ハンドル）として適用されても良い。また、水栓用ハンドルは、上記のような混合水栓の操作ハンドルの他、単水栓の操作ハンドルとして適用されても良い。すなわち、水栓用ハンドルは、水栓本体に軸回転可能なように取り付けられるハンドル部と、ハンドル部から径方向に張出し状に延びるレバー部と、を有する様々なタイプの水栓用ハンドルに適用することができるものである。
【００５２】
２．表層部材と積層状に一体成形される積層部材は、そのハンドル積層部が表層部材のハンドル表層部内に完全に埋設される形にインサートされて成形されるものであってもよい。また、積層部材は、必ずしもそのレバー積層部が表層部材のレバー表層部によって全周が被覆される形に埋設されるものでなくてもよく、一部分が外部に露出したり一面全体が外部に露出したりする形に積層されるものであってもよい。
【００５３】
３．表層部材と積層部材とは、上記実施形態で示した材料以外の樹脂材料、金属材料、又は複合材料から成るものであっても良い。上記表層部材と積層部材とは、互いに同一材料から成るものであっても良い。また、表層部材が積層部材よりも剛性及び／又は強度の高い材料から成るものであっても良い。
【００５４】
４．レバー部とハンドル部とは、必ずしも互いの天板面が互いに面一状の平坦面を成す形状から成るものでなくても良い。すなわち、レバー部の天板面とハンドル部の天板面との間に段差があるものや、レバー部の中央に指を掛け入れるための引掛孔が空いたもの等であっても良い。また、レバー部の天板面が凸湾曲面状や凹湾曲面状に湾曲したものや、レバー部がハンドル部から丸棒状や角棒状に張り出す形に延びるものであってもよい。
【００５５】
５．リブは、レバー積層部とハンドル積層部との繋ぎの角部に肉盛り状に形成されるものであれば良く、これらの内角部の他、外角部に形成されていても良い。
【符号の説明】
【００５６】
１      混合水栓
２      水栓本体
３      吐出管
３Ａ    吐出口
４      カートリッジ
４Ａ    レバー軸
１０    レバーハンドル（水栓用ハンドル）
１０Ａ  ハンドル部
１０Ａａ  天板面
１０Ａｂ  取付面
１０Ａｃ  締結面
１０Ｂ  レバー部
１０Ｂａ  天板面
１１    表層部材
１１Ａ  ハンドル表層部
１１Ｂ  レバー表層部
１２    積層部材
１２Ａ  ハンドル積層部
１２Ｂ  レバー積層部
１２Ｃ  繋ぎ積層部
１２Ｄ  リブ
Ａ１    中心軸線
Ａ２    交差軸線
Ｐ１    止水位置
Ｐ２    吐水位置
Ｐ３    湯側調節位置
Ｐ４    水側調節位置
Ｔ      天板
Ｂ      ビス
【図１】
2020051128.tif 000003
【図２】
2020051128.tif 000004
【図３】
2020051128.tif 000005
【図４】
2020051128.tif 000006
【図５】
2020051128.tif 000007
【図６】
2020051128.tif 000008
【図７】
2020051128.tif 000009